(57)【要約】【課題】  音声信号の高周波帯域を拡張し補完するオーディオ帯域拡張装置において，原音声信号のサンプリング周波数で制限される周波数帯域を越えての補完を簡単な回路構成で実現する。【解決手段】  原音声信号の付随情報より原音声信号が持つ周波数帯域を予測し，その周波数帯域に基づいて変換するサンプリング周波数を決定し，サンプリング周波数変換後の信号に対し1/2ダウンサンプリングおよび2倍アップサンプリングを行って高周波成分を生成し，所定の減衰特性を持つLPFでフィルタリングして出力する。【選択図】  図１
2010145426.tif 000002
【特許請求の範囲】
【請求項１】
音声信号の高周波帯域を補完し拡張するオーディオ帯域拡張装置であって，原音声信号の付随情報から原音声信号を変換するサンプリング周波数を決定するサンプリング周波数決定手段と，原音声信号のサンプリング周波数を前記サンプリング周波数決定手段で決定されたサンプリング周波数に変換するサンプリング周波数変換手段と，前記サンプリング周波数変換手段で変換された音声信号を1/2ダウンサンプリングする1/2ダウンサンプリング手段と，前記1/2ダウンサンプリング手段で変換された音声信号を2倍アップサンプリングする2倍アップサンプリング手段と，前記2倍アップサンプリング手段で変換された音声信号を所定の減衰特性のローパスフィルタでフィルタリングするローパスフィルタ手段とを備えることを特徴とするオーディオ帯域拡張装置。
【請求項２】
音声信号の高周波帯域を補完し拡張するオーディオ帯域拡張装置であって，原音声信号の付随情報から原音声信号を変換するサンプリング周波数を決定するサンプリング周波数決定手段と，原音声信号のサンプリング周波数を前記サンプリング周波数決定手段で決定されたサンプリング周波数に変換するサンプリング周波数変換手段と，前記サンプリング周波数変換手段で変換された音声信号に対して高調波ひずみを発生させる非線形処理手段と，前記非線形処理手段で発生させた高調波ひずみを持つ音声信号を所定の減衰特性のローパスフィルタでフィルタリングするローパスフィルタ手段と，前記ローパスフィルタ手段でフィルタリングされた音声信号の高域成分を取り出すハイパスフィルタ手段と，前記ハイパスフィルタ手段で取り出された音声信号を前記サンプリング周波数変換手段で変換された音声信号に加算する加算手段とを備えることを特徴とするオーディオ帯域拡張装置。
【請求項３】
前記付随情報は，原音声信号のサンプリング周波数，または，原音声信号のコーディング方式，または，原音声信号のビットレートであり，前記サンプリング周波数決定手段は、前記付随情報のいずれかひとつ，もしくは複数の情報から原音声信号が持つ周波数帯域を予測し，前記予測した周波数帯域の上限周波数の4倍の周波数を変換するサンプリング周波数として決定することを特徴とする請求項１，２に記載のオーディオ帯域拡張装置。
【請求項４】
前記サンプリング周波数決定手段は，原音声信号を復号する手段から得られる帯域情報から原音声信号が持つ周波数帯域を予測し，前記予測した周波数帯域の上限周波数の4倍の周波数を変換するサンプリング周波数として決定することを特徴とする請求項１，２に記載のオーディオ帯域拡張装置。
【請求項５】
前記2倍アップサンプリング手段は，各サンプル間をゼロ補完でアップサンプリングすることを特徴とする請求項１，２に記載のオーディオ帯域拡張装置。
【請求項６】
前記ハイパスフィルタ手段のカットオフ周波数は，サンプリング周波数変換手段で予測した原音声信号の周波数帯域の上限周波数に設定することを特徴とする請求項２に記載のオーディオ帯域拡張装置。
【発明の詳細な説明】
【技術分野】
【０００１】
本発明は，圧縮符号化された音声信号を再生する際に，その再生音声信号の高周波帯域を補完し拡張するオーディオ帯域拡張装置に関するものである。
【背景技術】
【０００２】
主に音楽の再生を目的とする装置において，現在最も一般的な録音形式はCD（コンパクトディスク）でも採用されている，サンプリング周波数44.1kHz，量子化ビット数16ビットというリニアPCM形式であるが，近年の，特にポータブル用途の機器においては，少ない媒体容量であっても多数の楽曲を収めるために，MP3(MPEG Audio Layer 3)やAAC(Advanced Audio Coding)などの技術を用いてデータを圧縮して媒体に収め，再生時に伸張するという方法が一般的である。
【０００３】
これらの音声信号の圧縮技術は，音声信号の中で比較的聞こえにくい成分から削減していく，いわゆる非可逆圧縮である。人間の可聴帯域は20Hzから20kHzといわれており，CDのサンプリング周波数44.1kHzはこの可聴帯域を想定して決められたものである。そして，一般的には14kHzから15kHzくらいまでの帯域があれば音質に与える影響は少ないと考えられ，圧縮音声においては，圧縮処理時に高域を削除して圧縮率を高めるということがなされている。例えば，MP3のビットレート128kbpsの圧縮音声では，約16kHz以上の帯域が削除されていることが多い。
【０００４】
しかしながら，こういった高域の削除は，聴感上の高域感の低下だけではなく，音の広がり感やなめらかさといった音質にも影響を及ぼすことが近年の研究でわかってきており，削除された高域を元のCD帯域まで補完する技術が開発され，使用され始めている（例えば，特許文献１参照。）。
【０００５】
また一方で，DVD AudioやSuper Audio CDに代表される高品質な音声を収録できることを特長とする媒体では，CDの約22.05kHzという帯域を越える周波数帯域の音声信号を収録することが可能である。これは，従来人間の可聴帯域と言われてきた20kHz以上の帯域の音声が，音の広がり感やなめらかさといった音質に重要な役目を果たしていることがわかってきたからである。
【０００６】
こういったことから，CDや圧縮音声においてもCD帯域を越える高域を補完し，音質をさらに改善する技術が提案されている（例えば，特許文献２参照）。
【０００７】
図１６は特許文献１に基づく従来のオーディオ帯域拡張装置のブロック図である。従来のオーディオ帯域拡張装置は，1/2ダウンサンプリング回路２３と，2倍アップサンプリング回路２４と，ローパスフィルタ２５と，ハイパスフィルタ２６とから構成される。
【０００８】
図１６において，入力された音声信号は，1/2ダウンサンプリング回路２３で一旦1/2ダウンサンプリングされ，2倍アップサンプリング回路２４にて元のサンプリング周波数に戻される。この2倍アップサンプリング時に折り返し成分が生成される。この2倍アップサンプリングされた音声信号は所定の減衰特性を持つローバスフィルタ２５でスペクトル形状が整形され，ハイパスフィルタ２６で補完したい帯域が取り出されて，原音声信号に加算され，出力される。
【０００９】
上記のように，入力された音声信号に対し，1/2ダウンサンプリングと2倍アップサンプリングして生成した高域成分をフィルタリングして高域付加成分を取り出すという簡単な回路構成で高域補完を実現している。
【特許文献１】特開２００６−２４３０４２号公報
【特許文献２】特許第３６９６０９１号公報
【発明の開示】
【発明が解決しようとする課題】
【００１０】
しかしながら上記従来の構成では，補完できる周波数帯域は，入力される音声信号のサンプリング周波数で制限されるという問題点があり，さらに高い周波数帯域を補完して音質を改善することが出来ない。
【００１１】
本発明は，このような従来の問題点に鑑み，入力される音声信号のサンプリング周波数で制限される周波数帯域以上の高域成分の補完を，簡単な回路構成で実現することの出来るオーディオ帯域拡張装置を提供することを目的とする。
【課題を解決するための手段】
【００１２】
本発明の請求項１に記載の発明は，音声信号の高周波帯域を補完し拡張するオーディオ帯域拡張装置であって，原音声信号の付随情報から原音声信号を変換するサンプリング周波数を決定するサンプリング周波数決定手段と，原音声信号のサンプリング周波数を前記サンプリング周波数決定手段で決定されたサンプリング周波数に変換するサンプリング周波数変換手段と，前記サンプリング周波数変換手段で変換された音声信号を1/2ダウンサンプリングする1/2ダウンサンプリング手段と，前記1/2ダウンサンプリング手段で変換された音声信号を2倍アップサンプリングする2倍アップサンプリング手段と，前記2倍アップサンプリング手段で変換された音声信号を所定の減衰特性のローパスフィルタでフィルタリングするローパスフィルタ手段とを備えることを特徴とするものである。
【００１３】
本発明の請求項２に記載の発明は，音声信号の高周波帯域を補完し拡張するオーディオ帯域拡張装置であって，原音声信号の付随情報から原音声信号を変換するサンプリング周波数を決定するサンプリング周波数決定手段と，原音声信号のサンプリング周波数を前記サンプリング周波数決定手段で決定されたサンプリング周波数に変換するサンプリング周波数変換手段と，前記サンプリング周波数変換手段で変換された音声信号に対して高調波ひずみを発生させる非線形処理手段と，前記非線形処理手段で発生させた高調波ひずみを持つ音声信号を所定の減衰特性のローパスフィルタでフィルタリングするローパスフィルタ手段と，前記ローパスフィルタ手段でフィルタリングされた音声信号の高域成分を取り出すハイパスフィルタ手段と，前記ハイパスフィルタ手段で取り出された音声信号を前記サンプリング周波数変換手段で変換された音声信号に加算する加算手段とを備えることを特徴とするものである。
【００１４】
本発明の請求項３に記載の発明は，請求項１，２に記載のオーディオ帯域拡張装置において，前記付随情報は，原音声信号のサンプリング周波数，または，原音声信号のコーディング方式，または，原音声信号のビットレートであり，前記サンプリング周波数決定手段は、前記付随情報のいずれかひとつ，もしくは複数の情報から原音声信号が持つ周波数帯域を予測し，前記予測した周波数帯域の上限周波数の4倍の周波数を変換するサンプリング周波数として決定することを特徴とするものである。
【００１５】
本発明の請求項４に記載の発明は，請求項１，２に記載のオーディオ帯域拡張装置において，前記サンプリング周波数決定手段は，原音声信号を復号する手段から得られる帯域情報から原音声信号が持つ周波数帯域を予測し，前記予測した周波数帯域の上限周波数の4倍の周波数を変換するサンプリング周波数として決定することを特徴とするものである。
【００１６】
本発明の請求項５に記載の発明は，請求項１，２に記載のオーディオ帯域拡張装置において，前記2倍アップサンプリング手段は，各サンプル間をゼロ補完でアップサンプリングすることを特徴とするものである。
【００１７】
本発明の請求項６に記載の発明は，請求項２に記載のオーディオ帯域拡張装置において，前記ハイパスフィルタ手段のカットオフ周波数は，サンプリング周波数変換手段で予測した原音声信号の周波数帯域の上限周波数に設定することを特徴とするものである。
【発明の効果】
【００１８】
本発明のオーディオ帯域拡張装置は，入力される音声信号を変換するサンプリング周波数を，音声信号が持つ帯域の予測値より決定することにより，入力音声信号の帯域の約2倍の帯域まで補完することが可能になる。また，サンプリング周波数変換手段および音声信号が持つ帯域を予測する手段の追加だけで実現できるという利点がある。
【発明を実施するための最良の形態】
【００１９】
以下、本発明のオーディオ帯域拡張装置を実施するための最良の形態について，図１から図１５を用いて詳細に説明する。
【００２０】
（実施の形態１）
図１は本発明の第１の実施の形態におけるオーディオ帯域拡張装置のブロック図である。このオーディオ帯域拡張装置は，サンプリング周波数決定部１と，サンプリング周波数変換部２と，1/2ダウンサンプリング部３と，2倍アップサンプリング部４とローパスフィルタ部５とから構成される。
【００２１】
サンプリング周波数決定部１は，入力される原音声信号の付随情報から，原音声信号が持つ周波数帯域を予測し，前記予測した周波数帯域の4倍の周波数を，サンプリング周波数変換部２において変換するサンプリング周波数として決定する。付随情報としては，原音声信号のサンプリング周波数，コーディング方式，ビットレート等の情報を用い，これら付随情報のいずれか，もしくは複数の情報から原音声信号の周波数帯域を予測し，決定する。
【００２２】
サンプリング周波数変換部２は，サンプリング周波数決定部１で決定したサンプリング周波数に基づき，入力される原音声信号を前記決定されたサンプリング周波数に変換するものである。
【００２３】
1/2ダウンサンプリング部３は，サンプリング周波数変換部２でサンプリング周波数変換した音声信号を1/2のサンプリング周波数にダウンサンプリングするものである。
【００２４】
2倍アップサンプリング部４は，1/2ダウンサンプリング部３でダウンサンプリングした音声信号を2倍のサンプリング周波数にアップサンプリングするものである。2倍アップサンプリングする際には，各サンプル間をゼロ値で補間し，アップサンプリングする。
【００２５】
ローパスフィルタ部５は，2倍アップサンプリング部４でアップサンプリングされた音声信号を，所定の減衰特性でフィルタリングするものである。
【００２６】
以上のように構成されたオーディオ帯域拡張装置について，以下その動作を説明する。
【００２７】
入力される原音声信号は，MP3やAAC等のコーディング方式で圧縮されていたものをリニアPCM形式に伸張処理した信号である。以下，例として，コーディング方式MP3，サンプリング周波数44.1kHz，ビットレート128kbpsで圧縮された音声信号を用いて説明する。
【００２８】
前記の圧縮された音声信号が持つ周波数帯域の特性の例を図２に示す。サンプリング周波数44.1kHzでは，周波数帯域の上限はサンプリング定理により22.05kHzに制限されるが，前記の条件でMP3方式で圧縮した場合は，およそ16kHzに制限される。サンプリング周波数決定部１では，前記コーディング方式，サンプリング周波数，ビットレートの付随情報から，圧縮された原音声信号が持つ周波数帯域を16kHzと予測し，サンプリング周波数変換部２で変換するサンプリング周波数を，前記周波数帯域16kHzの4倍の64kHzに決定する。
【００２９】
サンプリング周波数変換部２では，サンプリング周波数決定部１で決定したサンプリング周波数に従い，リニアPCMに伸張された原音声信号のサンプリング周波数を44.1kHzから64kHzに変換する。サンプリング周波数変換後の周波数帯域の特性の例を図３に示す。図３に示すように，サンプリング周波数64kHzの時の周波数帯域の上限32kHzに対して，音声信号の周波数帯域がその半分の16kHzとなる。
【００３０】
このサンプリング周波数変換された音声信号に対して1/2ダウンサンプリング部３で1/2ダウンサンプリングし，2倍アップサンプリング部４で2倍アップサンプリングする。これらの処理後の周波数帯域の特性の例を図４に示す。サンプリング周波数を一旦1/2にし，その後ゼロ補間で2倍アップサンプリングすると，図４に示すように，32kHzの半分の16kHzを境に折り返し成分が発生し，音声信号の帯域は32kHzまで拡張される。
【００３１】
この帯域拡張された音声信号に対し，ローパスフィルタ部５にてフィルタリングする。ローパスフィルタ特性は，図５に示すように，16kHz以上の周波数帯域においてなだらかに減衰する特性を持つものである。このローパスフィルタ部５でフィルタリング処理後の周波数帯域の特性の例を図６に示す。このローパスフィルタ部５の出力が，高域成分が補完された出力音声信号となる。
【００３２】
以上のように，本実施の形態によるオーディオ帯域拡張装置は，原音声信号が持つ周波数帯域のおよそ2倍の周波数帯域まで高域成分を補完することが出来る。
【００３３】
（実施の形態２）
図７は本発明の第２の実施の形態におけるオーディオ帯域拡張装置のブロック図である。このオーディオ帯域拡張装置は，サンプリング周波数決定部１１と，サンプリング周波数変換部１２と，1/2ダウンサンプリング部１３と，2倍アップサンプリング部１４とローパスフィルタ部１５と，ハイパスフィルタ部１６と，音声信号加算部１７とから構成される。
【００３４】
サンプリング周波数決定部１１は，入力される原音声信号の付随情報から，原音声信号が持つ周波数帯域を予測し，前記予測した周波数帯域の4倍の周波数を，サンプリング周波数変換部２において変換するサンプリング周波数として決定する。付随情報としては，原音声信号のサンプリング周波数，コーディング方式，ビットレート等の情報を用い，これら付随情報のいずれか，もしくは複数の情報から原音声信号の周波数帯域を予測し，決定する。
【００３５】
サンプリング周波数変換部１２は，サンプリング周波数決定部１１で決定したサンプリング周波数に基づき，入力される原音声信号を前記決定されたサンプリング周波数に変換するものである。
【００３６】
1/2ダウンサンプリング部１３は，サンプリング周波数変換部１２でサンプリング周波数変換した音声信号を1/2のサンプリング周波数にダウンサンプリングするものである。
【００３７】
2倍アップサンプリング部１４は，1/2ダウンサンプリング部１３でダウンサンプリングした音声信号を2倍のサンプリング周波数にアップサンプリングするものである。2倍アップサンプリングする際には，各サンプル間をゼロ値で補間し，アップサンプリングする。
【００３８】
ローパスフィルタ部１５は，2倍アップサンプリング部１４でアップサンプリングされた音声信号を，所定の減衰特性でフィルタリングするものである。
【００３９】
ハイパスフィルタ部１６は，ローパスフィルタ部１５でフィルタリングされた音声信号を，所定の減衰特性でフィルタリングするものである。ハイパスフィルタ部１６のカットオフ周波数は，サンプリング周波数決定部１１にて予測した原音声信号の周波数帯域の上限周波数に設定する。
【００４０】
音声信号加算部１７は，サンプリング周波数変換部１２でサンプリング周波数を変換された音声信号と，ハイパスフィルタ部１６でフィルタリングされた音声信号とを加算するものである。
【００４１】
以上のように構成されたオーディオ帯域拡張装置について，以下その動作を説明する。
【００４２】
入力される原音声信号は，MP3やAAC等のコーディング方式で圧縮されていたものをリニアPCM形式に伸張処理した信号である。以下，例として，コーディング方式MP3，サンプリング周波数44.1kHz，ビットレート128kbpsで圧縮された音声信号を用いて説明する。
【００４３】
前記の圧縮された音声信号が持つ周波数帯域の特性の例を図８に示す。サンプリング周波数44.1kHzでは，周波数帯域の上限はサンプリング定理により22.05kHzに制限されるが，前記の条件でMP3方式で圧縮した場合は，およそ16kHzに制限される。サンプリング周波数決定部１１では，前記コーディング方式，サンプリング周波数，ビットレートの付随情報から，圧縮された原音声信号が持つ周波数帯域を16kHzと予測し，サンプリング周波数変換部２で変換するサンプリング周波数を，前記周波数帯域16kHzの4倍の64kHzに決定する。
【００４４】
サンプリング周波数変換部１２では，サンプリング周波数決定部１１で決定したサンプリング周波数に従い，リニアPCMに伸張された原音声信号のサンプリング周波数を44.1kHzから64kHzに変換する。サンプリング周波数変換後の周波数帯域の特性の例を図９に示す。図９に示すように，サンプリング周波数64kHzの時の周波数帯域の上限32kHzに対して，音声信号の周波数帯域がその半分の16kHzとなる。
【００４５】
このサンプリング周波数変換された音声信号に対して1/2ダウンサンプリング部１３で1/2ダウンサンプリングし，2倍アップサンプリング部１４で2倍アップサンプリングする。これらの処理後の周波数帯域の特性の例を図１０に示す。サンプリング周波数を一旦1/2にし，その後ゼロ補間で2倍アップサンプリングすると，図１０に示すように，32kHzの半分の16kHzを境に折り返し成分が発生し，音声信号の帯域は32kHzまで拡張される。
【００４６】
この帯域拡張された音声信号に対し，ローパスフィルタ部１５にてフィルタリングする。ローパスフィルタ特性は，図１１に示すように，16kHz以上の周波数帯域においてなだらかに減衰する特性を持つものである。このローパスフィルタ部１５でフィルタリング処理後の周波数帯域の特性の例を図１２に示す。
【００４７】
ローパスフィルタ部１５でフィルタリングされた音声信号に対し，ハイパスフィルタ部１６にてフィルタリングする。ハイパスフィルタ特性は図１３に示すように，16kHz以上の帯域を通過させるものである。このハイパスフィルタ部１６でフィルタリング処理後の周波数帯域の特性の例を図１４に示す。
【００４８】
音声信号加算部１７では，サンプリング周波数変換部１２でサンプリング周波数を変換された音声信号と，ハイパスフィルタ部１６でフィルタリングされた音声信号，すなわち高域付加成分とが加算される。加算前のそれぞれの周波数帯域および加算後の周波数帯域の特性の例を図１５に示す。この音声信号加算部１７の出力が，高域成分が補完された出力音声信号となる。
【００４９】
以上のように，本実施の形態によるオーディオ帯域拡張装置は，原音声信号が持つ周波数帯域のおよそ2倍の周波数帯域まで高域成分を補完することが出来る。本実施の形態では，サンプリング周波数が変換された後の音声信号に対してダウンサンプリング処理およびアップサンプリング処理を施すことがないため，原音声信号が持つ周波数帯域内の音声信号の信号処理による劣化は発生せず，原音声信号の品質を最大限に保ちながら高域を補完することが可能になる。
【００５０】
なお，本発明の第１の実施の形態および第２の実施の形態において，サンプリング周波数決定部１および１１で原音声信号の付随情報に基づいて決定するサンプリング周波数は，さまざまなコーディング手段によるコーディング結果を調査し，その統計的な結果に基づいて決めても良いし，特定のコーディング手段のコーディング結果に基づいて決めても良い。
【００５１】
また同様に，圧縮された原音声信号をリニアPCM形式に伸張する際に伸張手段から得られる周波数帯域の情報を付随情報として用いても良い。
【００５２】
また同様に，圧縮処理を行うコーディング手段側で周波数帯域の情報を明示的に付随情報として付加し，本発明の装置においてその付随情報を読み出して用いても良い。
【００５３】
また，サンプリング周波数決定部１および１１でサンプリング周波数を決定する際，予測した原音声信号の周波数帯域よりもわずかに低めのサンプリング周波数を決定しても良い。このようにわずかに低めのサンプリング周波数とすることで，1/2ダウンサンプリング処理および2倍アップサンプリング処理による折り返し成分の生成において，原音声信号の周波数帯域のばらつきによる折り返し周波数付近の成分の落ち込みを防ぐことが出来る。
【００５４】
また，ローパスフィルタ部５および１５の減衰特性は，さまざまな音楽信号が本来持つスペクトル成分を調査し，本発明の処理を行った後に補完される高域成分のスペクトル成分が，その統計的な結果に最も近くなるように減衰手特性を決定するのが望ましい。
【００５５】
また，ハイパスフィルタ部１６のカットオフ周波数は，サンプリング周波数決定部１１にて予測した原音声信号の周波数帯域の上限に設定するのが望ましいが，高域補完の効果を調整するために，そのカットオフ周波数を多少上下させても良い。
【産業上の利用可能性】
【００５６】
本発明のオーディオ帯域拡張装置は，圧縮音声の周波数帯域を拡張し補完することができるが，元々広い周波数帯域を持つ音声信号の帯域をさらに拡張し補完する用途にも適用できる。また，電話音声やラジオ音声など，元々狭い周波数帯域を持つ音声信号の帯域を拡張し，音質を改善する用途にも適用できる。
【図面の簡単な説明】
【００５７】
【図１】本発明の実施の形態１におけるオーディオ帯域拡張装置の構成を示すブロック図
【図２】実施の形態１で入力される圧縮された音声信号が持つ周波数帯域の特性の例を示す特性図
【図３】実施の形態１のサンプリング周波数変換部１でサンプリング周波数が変換された後の音声信号の持つ周波数帯域の特性の例を示す特性図
【図４】実施の形態１の1/2ダウンサンプリング部３および2倍アップサンプリング部４で処理された後の音声信号の持つ周波数特性の例を示す特性図
【図５】実施の形態１のローパスフィルタ部５のフィルタ特性の例を示す特性図
【図６】実施の形態１で出力される高域補完後の周波数帯域の特性の例を示す特性図
【図７】本発明の実施の形態２におけるオーディオ帯域拡張装置の構成を示すブロック図
【図８】実施の形態２で入力される圧縮された音声信号が持つ周波数帯域の特性の例を示す特性図
【図９】実施の形態２のサンプリング周波数変換部１１でサンプリング周波数が変換された後の音声信号の持つ周波数帯域の特性の例を示す特性図
【図１０】実施の形態２の1/2ダウンサンプリング部１３および2倍アップサンプリング部１４で処理された後の音声信号の持つ周波数特性の例を示す特性図
【図１１】実施の形態２のローパスフィルタ部１５のフィルタ特性の例を示す特性図
【図１２】実施の形態２のローパスフィルタ部１５でフィルタリングされた後の音声信号の持つ周波数帯域の特性の例を示す特性図
【図１３】実施の形態２のハイパスフィルタ部１６のフィルタ特性の例を示す特性図
【図１４】実施の形態２のハイパスフィルタ部１６でフィルタリングされた後の音声信号の持つ周波数帯域の特性の例を示す特性図
【図１５】実施の形態２の音声信号加算部１７で加算され，出力される高域補完後の周波数帯域の特性の例を示す特性図
【図１６】従来のオーディオ帯域拡張装置の構成を示すブロック図
【符号の説明】
【００５８】
１  サンプリング周波数決定部
２  サンプリング周波数変換部
３  1/2ダウンサンプリング部
４  2倍アップサンプリング部
５  ローパスフィルタ部
１１  サンプリング周波数決定部
１２  サンプリング周波数変換部
１３  1/2ダウンサンプリング部
１４  2倍アップサンプリング部
１５  ローパスフィルタ部
１６  ハイパスフィルタ部
１７  音声信号加算部
２３  1/2ダウンサンプリング部
２４  2倍アップサンプリング部
２５  ローパスフィルタ部
２６  ハイパスフィルタ部
【図１】
2010145426.tif 000003
【図２】
2010145426.tif 000004
【図３】
2010145426.tif 000005
【図４】
2010145426.tif 000006
【図５】
2010145426.tif 000007
【図６】
2010145426.tif 000008
【図７】
2010145426.tif 000009
【図８】
2010145426.tif 000010
【図９】
2010145426.tif 000011
【図１０】
2010145426.tif 000012
【図１１】
2010145426.tif 000013
【図１２】
2010145426.tif 000014
【図１３】
2010145426.tif 000015
【図１４】
2010145426.tif 000016
【図１５】
2010145426.tif 000017
【図１６】
2010145426.tif 000018